(57)【要約】【課題】  承認案件が発生したとき、表示した画像データに基づいて承認案件の内容を説明し、内容を修正する必要がある場合に、その場で承認案件の内容を修正することができ、かつ特定の利用者による承認入力がその場ででき、承認案件に対する承認決定までに時間的なロスが生じるのを防止することができる表示装置を提供する。【解決手段】  表示手段１が画像データを表示し、入力手段２が画像データに対する指示を入力する。さらに、認証手段３が入力手段２に指示を入力する利用者を認証し、利用者特定手段５が利用者を特定する。そして、許可機能判別手段６が、利用者特定手段５が特定した利用者に操作を許可する機能を判別する。このとき、入力手段２に入力される指示に基づいて、編集手段１６が画像データを編集し、承認手段１７が画像データの内容に対して承認するか否かを決定する処理を行う。【選択図】      図１
2009093499.tif 000002
【特許請求の範囲】
【請求項１】
画像データを表示する表示手段と、
画像データに対する指示が入力される入力手段と、
入力手段に指示を入力する利用者を認証する認証手段と、
認証手段が認証した利用者を特定する利用者特定手段と、
複数の機能のうち、利用者特定手段が特定した利用者に操作を許可する機能を判別する許可機能判別手段と、
入力手段に入力される指示に基づいて、画像データを編集する編集手段と、
入力手段に入力される指示に基づいて、画像データの内容に対して承認するか否かを決定する処理を行う承認手段とを含むことを特徴とする表示装置。
【請求項２】
許可機能判別手段が、入力手段に指示を入力する機能を、操作が許可された機能として判別した場合に、入力手段に指示を入力することができるように構成されることを特徴とする請求項１に記載の表示装置。
【請求項３】
許可機能判別手段が、入力手段に指示を入力して画像データを表示させる機能を、操作が許可された機能として判別した場合に、入力手段に指示を入力して表示手段が画像データを表示するように構成されることを特徴とする請求項１または２に記載の表示装置。
【請求項４】
許可機能判別手段が、入力手段に指示を入力して画像データを編集する機能を、操作が許可された機能として判別した場合に、入力手段に指示を入力して画像データを編集することができるように構成されることを特徴とする請求項１または２に記載の表示装置。
【請求項５】
許可機能判別手段が、入力手段に指示を入力して画像データの内容に対する承認を申請する機能を、操作が許可された機能として判別した場合に、入力手段に指示を入力して画像データの内容に対する承認申請ができるように構成されることを特徴とする請求項１または２に記載の表示装置。
【請求項６】
許可機能判別手段が、入力手段に指示を入力して画像データの内容に対する承認を行う機能を、操作が許可された機能として判別した場合に、入力手段に指示を入力して画像データの内容に対する承認を行うことができるように構成されることを特徴とする請求項１または２に記載の表示装置。
【請求項７】
利用者を認証する認証工程と、
認証工程において認証した利用者を特定する利用者特定工程と、
複数の機能のうち、利用者特定工程において特定した利用者に操作を許可する機能を判別する許可機能判別工程と、
画像データを表示する表示工程と、
表示工程において表示した画像データに対する指示を入力する入力工程と、
入力工程において入力した指示に基づいて、画像データを編集する編集工程と、
入力工程において入力した指示に基づいて、画像データの内容に対して承認するか否かを決定する処理を行う承認工程とを含むことを特徴とする表示方法。
【発明の詳細な説明】
【技術分野】
【０００１】
本発明は、認証を受けた利用者が特定の処理を行うことができる表示装置および表示方法に関する。
【背景技術】
【０００２】
従来、承認案件が発生すると、承認要求者は、承認案件をＣＡＤ（Computer Aided    Design）図面や各種報告書類として文書化し、複数の上位職（承認決定者）に文書の内容を説明し、承認決定者に回覧して、承認印を得て決済を得る。しかしながら、このような文書による承認では、決済が完了するまでに時間がかかるという欠点を有している。
【０００３】
そこで、近年では、ネットワークを介してワークステーション等の電子計算機端末を接続し、承認のための条件情報を記憶しておき、これに基づいて承認を得るようにした電子承認システムが提案されている。このような電子承認システムでは、承認要求者は、承認案件の内容を複数の承認決定者に説明した後、承認案件の内容の情報を、ネットワークを介してワークステーションに対して送信する。複数の承認決定者は、ワークステーションに表示されている承認案件を見て承認または非承認の決定を行い、結果をネットワークを介して承認要求者のワークステーションへ返送する。
【０００４】
特許文献１には、正確かつ公正な時刻情報と個人の特定、識別、認証が可能である入力装置における入力用スタイラスペンが開示されている。ネットワークを介して送信される承認案件に対して、特許文献１に開示されるスタイラスペンのような認証機能が付与された入力手段を用いて承認することによって、信頼ある承認とすることができる。
【０００５】
【特許文献１】特開２００５−１８４２６号公報
【発明の開示】
【発明が解決しようとする課題】
【０００６】
承認要求者が承認案件の内容を承認決定者に説明したとき、内容を修正する必要がある指摘事項を承認決定者から受ける場合がある。このような場合、承認要求者は、承認案件の内容を修正し、その後、承認案件の修正した内容の情報を、再度ネットワークを介して送信して承認を得る必要があり、時間的なロスが生じる。
【０００７】
したがって本発明の目的は、承認案件が発生したとき、表示した画像データに基づいて承認案件の内容を説明し、内容を修正する必要がある場合に、その場で承認案件の内容を修正することができ、かつ特定の利用者による承認入力がその場ででき、承認案件に対する承認決定までに時間的なロスが生じるのを防止することができる表示装置および表示方法を提供することである。
【課題を解決するための手段】
【０００８】
本発明は、画像データを表示する表示手段と、
画像データに対する指示が入力される入力手段と、
入力手段に指示を入力する利用者を認証する認証手段と、
認証手段が認証した利用者を特定する利用者特定手段と、
複数の機能のうち、利用者特定手段が特定した利用者に操作を許可する機能を判別する許可機能判別手段と、
入力手段に入力される指示に基づいて、画像データを編集する編集手段と、
入力手段に入力される指示に基づいて、画像データの内容に対して承認するか否かを決定する処理を行う承認手段とを含むことを特徴とする表示装置である。
【０００９】
また本発明は、許可機能判別手段が、入力手段に指示を入力する機能を、操作が許可された機能として判別した場合に、入力手段に指示を入力することができるように構成されることを特徴とする。
【００１０】
また本発明は、許可機能判別手段が、入力手段に指示を入力して画像データを表示させる機能を、操作が許可された機能として判別した場合に、入力手段に指示を入力して表示手段が画像データを表示するように構成されることを特徴とする。
【００１１】
また本発明は、許可機能判別手段が、入力手段に指示を入力して画像データを編集する機能を、操作が許可された機能として判別した場合に、入力手段に指示を入力して画像データを編集することができるように構成されることを特徴とする。
【００１２】
また本発明は、許可機能判別手段が、入力手段に指示を入力して画像データの内容に対する承認を申請する機能を、操作が許可された機能として判別した場合に、入力手段に指示を入力して画像データの内容に対する承認申請ができるように構成されることを特徴とする。
【００１３】
また本発明は、許可機能判別手段が、入力手段に指示を入力して画像データの内容に対する承認を行う機能を、操作が許可された機能として判別した場合に、入力手段に指示を入力して画像データの内容に対する承認を行うことができるように構成されることを特徴とする。
【００１４】
また本発明は、利用者を認証する認証工程と、
認証工程において認証した利用者を特定する利用者特定工程と、
複数の機能のうち、利用者特定工程において特定した利用者に操作を許可する機能を判別する許可機能判別工程と、
画像データを表示する表示工程と、
表示工程において表示した画像データに対する指示を入力する入力工程と、
入力工程において入力した指示に基づいて、画像データを編集する編集工程と、
入力工程において入力した指示に基づいて、画像データの内容に対して承認するか否かを決定する処理を行う承認工程とを含むことを特徴とする表示方法である。
【発明の効果】
【００１５】
本発明によれば、表示手段が画像データを表示し、入力手段に画像データに対する指示が入力される。さらに、認証手段が入力手段に指示を入力する利用者を認証し、利用者特定手段が認証手段が認証した利用者を特定する。そして、許可機能判別手段が、複数の機能のうち、利用者特定手段が特定した利用者に操作を許可する機能を判別する。このとき、入力手段に入力される指示に基づいて、編集手段が画像データを編集し、承認手段が画像データの内容に対して承認するか否かを決定する処理を行う。そのため、承認案件が発生したとき、承認要求者は、表示した画像データに基づいて承認案件の内容を説明し、内容を修正する必要がある指摘事項を承認決定者から受けた場合、その場で承認案件の内容を修正することができる。その後、認証されて特定された承認決定者は、承認案件の修正した内容を見て、承認するか否かをその場で決定することができ、承認案件に対する承認決定までに時間的なロスが生じるのを防止することができる。
【００１６】
また本発明によれば、許可機能判別手段が、入力手段に指示を入力する機能を、操作が許可された機能として判別した場合に、入力手段に指示を入力することができるように構成される。そのため、認証されて特定された利用者によって入力手段に指示を入力することができるので、信頼ある指示を入力することができる。
【００１７】
また本発明によれば、許可機能判別手段が、入力手段に指示を入力して画像データを表示させる機能を、操作が許可された機能として判別した場合に、入力手段に指示を入力して表示手段が画像データを表示するように構成される。そのため、認証されて特定された利用者によって画像データを表示することができる。
【００１８】
また本発明によれば、許可機能判別手段が、入力手段に指示を入力して画像データを編集する機能を、操作が許可された機能として判別した場合に、入力手段に指示を入力して画像データを編集することができるように構成される。そのため、認証されて特定された利用者によって画像データを編集することができるので、信頼ある状態で画像データを編集することができる。
【００１９】
また本発明によれば、許可機能判別手段が、入力手段に指示を入力して画像データの内容に対する承認を申請する機能を、操作が許可された機能として判別した場合に、入力手段に指示を入力して画像データの内容に対する承認申請ができるように構成される。そのため、認証されて特定された利用者によって承認申請ができるので、信頼ある状態で画像データの内容に対する承認申請をすることができる。
【００２０】
また本発明によれば、許可機能判別手段が、入力手段に指示を入力して画像データの内容に対する承認を行う機能を、操作が許可された機能として判別した場合に、入力手段に指示を入力して画像データの内容に対する承認を行うことができるように構成される。そのため、認証されて特定された利用者によって画像データの内容に対する承認を行うことができるので、信頼ある承認を行うことができる。
【００２１】
また本発明によれば、認証工程では、利用者を認証し、利用者特定工程では、認証工程において認証した利用者を特定する。次に、許可機能判別工程では、複数の機能のうち、利用者特定工程において特定した利用者に操作を許可する機能を判別する。次に、表示工程では、画像データを表示し、入力工程では、表示工程において表示した画像データに対する指示を入力する。このとき、入力工程において入力した指示に基づいて、編集工程では画像データを編集し、承認工程では画像データの内容に対して承認するか否かを決定する処理を行う。そのため、承認案件が発生したとき、承認要求者は、表示した画像データに基づいて承認案件の内容を説明し、内容を修正する必要がある指摘事項を承認決定者から受けた場合、その場で承認案件の内容を修正することができる。その後、認証されて特定された承認決定者は、承認案件の修正した内容を見て、承認するか否かをその場で決定することができ、承認案件に対する承認決定までに時間的なロスが生じるのを防止することができる。
【発明を実施するための最良の形態】
【００２２】
図１は、本発明における表示装置１０の構成を示すブロック図である。また、図２は、表示装置１０構成を示す斜視図である。表示装置１０は、承認案件が発生したとき、承認要求者が表示した画像データに基づいて承認案件の内容を説明し、内容を修正する必要がある場合に、その場で承認案件の内容を修正することができ、かつ特定の承認決定者による承認入力がその場でできる表示装置である。表示装置１０は、表示手段１と、入力手段２と、認証手段３と、入力解析手段４と、利用者特定手段５と、許可機能判別手段６と、編集手段１６と、承認手段１７と、情報処理手段７と、入力制御手段８とを含んで構成される。
【００２３】
表示手段１は、承認要求者が入力手段２に入力する指示に基づいて、ＣＡＤ図面や各種ワープロソフトなどで作成された文書データから成る画像データを、データ表示面に表示する。表示手段１は、液晶ディスプレイ（Liquid Crystal Display、略称ＬＣＤ）、プラズマディスプレイ（Plasma Display Panel、略称ＰＤＰ）、表面電子放出型フィールドエミッションディスプレイ（Surface conduction Electron emitter Display、略称ＳＥＤ）などのフラットパネルディスプレイ（Flat Panel Display、略称ＦＰＤ）を挙げることができ、本実施の形態ではＬＣＤである。表示手段１が有するデータ表示面は、たとえば、液晶パネルであり、矩形板状に形成され、薄膜トランジスタ回路とカラーフィルタとを形成したガラス基板の間に液晶材料が封入される液晶セルである画像データを表示する表示面となる。データ表示面は、図２に示すように、縁辺を覆うように枠状部材で補強されており、その枠状部材に台座１１が接続されてデータ表示面を支持し、床面に配置できるようになっている。台座１１は、基台１１ａと２つの脚部１１ｂとを含んで構成され、脚部１１ｂがデータ表示面の縁辺を覆う枠状部材に接続されて鉛直方向下方に延びて基台１１ａと接続し、基台１１ａが床面と接触するように形成される。また、基台１１ａは移動用車輪１４を備えて、表示装置１０の移動が容易に行えるようになっている。
【００２４】
また、表示装置１０は、周辺機器であるスキャナ１２とプリンタ１３とを備え、スキャナ１２は２つの脚部１１ｂの間に設置され、プリンタ１３は基台１１ａの上面に設置される。スキャナ１２は、挿入開口部１２ａから原稿が挿入され、排出開口部１２ｂから原稿が排出される動作中に原稿上の画像を読み取る装置である。プリンタ１３は、データ表示面に表示される画像データなどを印刷する装置である。
【００２５】
入力手段２は、承認要求者および承認決定者がデータ表示面に表示させる画像データに対する指示を入力する手段であり、たとえば、タッチパネルである。図３は、入力手段２の構成を示す図である。入力手段２は、表示手段１が有するデータ表示面を覆うように一体的に形成され、データ表示面に表示される画像データに対する指示を入力するデータ入力面２３を有する。データ入力面２３は、矩形板状に形成されたガラス等から成る透明な透過部材で構成される。入力手段２においては、データ入力面２３上で、操作部材であるタッチペンの先端で押圧操作あるいは筆記操作することによって、画像データに対する指示を入力する。データ入力面２３には、データ入力面２３の４辺の内方周囲に、タッチペンによる押圧位置を検出するためのＬＥＤ（Light Emitting Diode）アレイ２０とフォトトランジスタアレイ２１とが設けられている。ＬＥＤアレイ２０は、データ入力面２３の長辺の一方に対応したＸ方向ＬＥＤアレイ２０ａと、データ入力面２３の短辺の一方に対応したＹ方向ＬＥＤアレイ２０ｂとを含む。また、フォトトランジスタアレイ２１は、データ入力面２３の長辺の他方に対応したＸ方向フォトトランジスタアレイ２１ａと、データ入力面２３の短辺の他方に対応したＹ方向フォトトランジスタアレイ２１ｂとを含む。また、隣接するＬＥＤアレイ同士あるいはフォトトランジスタアレイ同士の間隔は、０．５ｍｍに設定されている。
【００２６】
次に、データ入力面２３にタッチペンを用いて押圧操作あるいは筆記操作して指示を入力したときの、データ入力面２３上での文字表示方法について説明する。タッチペンの先端がデータ入力面２３の表面に触れると、触れた位置を通過するＬＥＤアレイ２０から発せられる光がタッチペンによって遮蔽され、ＬＥＤアレイ２０と対向する位置に配置されるフォトトランジスタアレイ２１に到達しなくなる。ＬＥＤアレイ２０が発する光が到達しなかったフォトトランジスタアレイ２１が配置される座標を、指定された座標として認識して、その座標情報を後述する情報処理手段７に送信する。
【００２７】
図４は、入力手段２が有するデータ入力面２３の一例を示す図である。データ入力面２３には、承認要求者および承認決定者が指示を入力するボタンとなる指示ボタン１ａ，１ｂ，１ｃ，１ｄ，１ｅ，１ｆが配置されている。承認要求者および承認決定者は、指示ボタンをタッチペンで押圧することによって、データ表示面に表示させる画像データに対する指示を入力することができる。データ表示ボタン１ａは、承認要求者がデータ表示面に表示させる画像データを選択して、データ表示面に画像データを表示させるときに使用する指示ボタンである。たとえば、承認要求者がタッチペンでデータ表示ボタン１ａを押圧し、後述するデータ管理サーバ３０が有するデータ格納手段３２に予め保存される画像データの中から所望の画像データを選択して、データ表示面に画像データ１５を表示させる。データ編集ボタン１ｂは、承認要求者がデータ表示面に表示された画像データの内容を修正するときに使用する指示ボタンである。承認申請ボタン１ｃは、承認要求者がデータ表示面に表示された画像データに対して、承認を申請するときに使用する指示ボタンである。
【００２８】
承認処理ボタン１ｄは、承認決定者がデータ表示面に表示された画像データに対して、承認するか否かの結果を入力するときに使用する指示ボタンである。承認後設定ボタン１ｅは、承認決定者がデータ表示面に表示される画像データに対して承認した後の処理に関する指定を予め設定するときに使用する指示ボタンである。承認後の処理に関する設定とは、たとえば、承認された画像データを、更なる上位承認者や外部業者などのような外部に送信するための設定である。データ状況ボタン１ｆは、承認された画像データのその後の処理状況や画像データが問題なく外部に送信されているかどうかを確認するときに使用する指示ボタンである。たとえば、承認された画像データのその後の処理状況を確認するとき、承認要求者または承認決定者がタッチペンでデータ状況ボタン１ｆを押圧し、後述するデータ管理サーバ３０が有するデータ格納手段３２に保存される画像データの中から所望の画像データを選択して、該画像データに付随する処理状況を示す状況データを読み込む。このようにして、画像データに付随する状況データをデータ表示面に表示させることができる。
【００２９】
情報処理手段７は、後述する入力制御手段８の指令に基づいて、入力手段２から送信された座標情報を表示手段１に送信して、データ入力面２３の座標位置に対応するデータ表示面の位置に所定のオブジェクトを表示させる。オブジェクトとは、たとえば点画像である。タッチペンでデータ入力面２３の表面をなぞることによって、点画像のオブジェクトを連続的に表示することができ、所望する図形や文字を描くことができる。その他のオブジェクトとしては、直線、円形、三角形、四角形などの予め定められる定形図形であってもよい。また、情報処理手段７は、後述する入力制御手段８の指令に基づいて、データ入力面２３に配置される前述の指示ボタン１ａ，１ｂ，１ｃ，１ｄ，１ｅ，１ｆがタッチペンによって押圧されて入力される指示に基づいた画像を表示手段１に表示させる。
【００３０】
認証手段３は、入力手段２に指示を入力する利用者（承認要求者および承認決定者）を認証する。図５は、認証手段３の構成を示す斜視図である。認証手段３は、図５（ａ）に示すように、たとえば、指紋認証部３ａを有するタッチペンであり、本実施の形態においては、この指紋認証部３ａを有するタッチペンによって、データ入力面２３に指示を入力する。認証手段３が承認要求者および承認決定者を認証するとき、承認要求者および承認決定者の指紋を、後述する認証管理サーバ４０に予め保存されている指紋データと比較して認証する。なお、認証管理サーバ４０に保存される指紋データには、指紋の形状に関するデータだけではなく、指紋の形状に対応する個人を特定するサインに関するデータや特定個人が操作可能な機能を示す情報などの個人データも含まれている。
【００３１】
また、認証手段３は、図５（ｂ）に示すような、タグやラベル状に加工されたアンテナ付きＩＣ（Integrated Circuit）チップであるＲＦＩＤ（Radio Frequency             Identification）９ａを有するＩＣカード９を認識する読取装置が繋がったタッチペンであってもよい。このとき、ＩＣカード９には、個人を特定するサインに関するデータや特定個人が操作可能な機能を示す情報などの個人データが記録されており、認証手段３は、タッチペンに繋がった読取装置で読み取ったＩＣカード９に記録される個人データを認証管理サーバ４０に保存される個人データと比較して認証する。
【００３２】
入力解析手段４は、ＣＰＵ（Central Processing Unit）を搭載したパーソナルコンピュータであり、操作部材（タッチペン）を兼ねる認証手段３を用いてデータ入力面２３に入力されたサインと、認証管理サーバ４０に保存される個人データが含むサインとを比較して、入力されたサインに対応する個人データを認証管理サーバ４０から取得し、その個人データを利用者特定手段５に送信する。このとき、入力解析手段４は、データ入力面２３に入力されたサインの記載順やサイン画像の相関度を求めて、認証管理サーバ４０に保存される個人データが含むサインと比較照合する。
【００３３】
利用者特定手段５は、入力解析手段４から送信された個人データに基づいて、データ入力面２３にサインを入力した利用者（承認要求者または承認決定者）個人を特定し、その特定結果を後述する入力制御手段８に送信する。
【００３４】
許可機能判別手段６は、入力制御手段８から利用者特定手段５が特定した特定結果を受信し、その特定結果に基づいて、表示装置１０において利用可能な複数の機能のうち利用者特定手段５が特定した利用者（承認要求者または承認決定者）に操作を許可する機能を判別する。そして、許可機能判別手段６は、その判別結果を入力制御手段８に送信する。
【００３５】
表示装置１０においては、許可機能判別手段６が、入力手段２に指示を入力する機能を、操作が許可された機能として判別した場合に、入力手段２に指示を入力することができるように構成されるのが好ましい。これによって、認証されて特定された利用者（承認要求者または承認決定者）によって入力手段２に指示を入力することができるので、信頼ある指示を入力することができる。また、表示装置１０は、許可機能判別手段６が、入力手段２に指示を入力して画像データを表示させる機能を、操作が許可された機能として判別した場合に、入力手段２に指示を入力して表示手段１が画像データを表示するように構成されるのが好ましい。このとき、表示装置１０においては、データ入力面２３に配置される前述のデータ表示ボタン１ａが押圧されて、画像データを表示させる指示が入力される。これによって、認証されて特定された利用者（承認要求者）によって画像データを表示することができる。
【００３６】
また、表示装置１０は、許可機能判別手段６が、入力手段２に指示を入力して画像データを編集する機能を、操作が許可された機能として判別した場合に、入力手段２に指示を入力して画像データを編集することができるように構成されるのが好ましい。このとき、表示装置１０においては、データ入力面２３に配置される前述のデータ編集ボタン１ｂが押圧されて、画像データを編集する指示が入力される。これによって、認証されて特定された利用者（承認要求者）によって画像データを編集することができるので、信頼ある状態で画像データを編集することができる。また、表示装置１０は、許可機能判別手段６が、入力手段２に指示を入力して画像データの内容に対する承認を申請する機能を、操作が許可された機能として判別した場合に、入力手段２に指示を入力して画像データの内容に対する承認申請ができるように構成されるのが好ましい。このとき、表示装置１０においては、データ入力面２３に配置される前述の承認申請ボタン１ｃが押圧されて、画像データの内容に対する承認を申請する指示が入力される。これによって、認証されて特定された利用者（承認要求者）によって承認申請ができるので、信頼ある状態で画像データの内容に対する承認申請をすることができる。
【００３７】
また、表示装置１０は、許可機能判別手段６が、入力手段２に指示を入力して画像データの内容に対する承認を行う機能を、操作が許可された機能として判別した場合に、入力手段２に指示を入力して画像データの内容に対する承認を行うことができるように構成されるのが好ましい。このとき、表示装置１０においては、データ入力面２３に配置される前述の承認処理ボタン１ｄが押圧されて、画像データの内容に対する承認を行う指示が入力される。これによって、認証されて特定された利用者（承認決定者）によって画像データの内容に対する承認を行うことができるので、信頼ある承認を行うことができる。
【００３８】
編集手段１６は、入力制御手段８から入力手段２に入力された指示に関する情報信号を受信し、その情報信号に基づいて画像データを編集する。表示装置１０においては、編集手段１６は、データ入力面２３に配置されるデータ編集ボタン１ｂが押圧されて、指示が入力されると、画像データを編集する。
【００３９】
承認手段１７は、入力制御手段８から入力手段２に入力された指示に関する情報信号を受信し、その情報信号に基づいて画像データの内容に対して承認するか否かを決定する処理を行う。表示装置１０においては、承認手段１７は、データ入力面２３に配置される承認処理ボタン１ｄが押圧されて、指示が入力されると、画像データの内容に対する承認処理を行う。
【００４０】
入力制御手段８は、情報処理手段７と通信して、表示手段１に表示させる画像に関する指令を情報処理手段７に与える。また、入力制御手段８は、後述するデータ管理サーバ３０が有するデータ管理手段３１とコマンド通信し、データ格納手段３２に予め保存されている画像データなどの各種データを取り出して、そのデータを情報処理手段７に与えたり、情報処理手段７を介して取得した入力手段２に入力された情報をデータ格納手段３２に保存する。
【００４１】
図６は、表示装置１０を備えるシステム全体の構成を示すブロック図である。システム全体としては、表示装置１０以外に、データ管理サーバ３０と、認証管理サーバ４０とを備える。データ管理サーバ３０は、データ管理手段３１と、データ格納手段３２と、データ送信手段３３とを含んで構成される。データ管理手段３１は、入力制御手段８の指令に基づいて、データ格納手段３２に予め保存されている画像データなどの各種データを取り出して、そのデータを入力制御手段８に与えたり、入力手段２に入力された情報をデータ格納手段３２に保存する。データ格納手段３２は、たとえば、ＨＤＤ（Hard Disk Drive）であり、表示手段１に表示する画像データや更新された情報を格納する。データ送信手段３３は、データ管理手段３１の指令によって、予め設定された承認後の処理に基づいて、データ格納手段３２に格納されるデータを外部に送信する。このとき、データ送信手段３３は、指定された電子メールアドレスにデータを付加して添付したり、指定された電子メールアドレスにデータの格納場所を付加して添付して、外部に送信する。
【００４２】
認証管理サーバ４０は、利用者（承認要求者および承認決定者）を認証して特定するためのデータを一括管理して格納する。認証管理サーバ４０には、利用者の指紋データが予め格納されている。この指紋データには、指紋の形状に関するデータだけではなく、指紋の形状に対応する個人を特定するサインに関するデータや、特定個人と操作可能な機能とを関連付けたテーブルなどの個人データが含まれている。
【００４３】
図７は、表示装置１０において承認要求者が画像データを修正して承認申請するまでの表示方法を示すフローチャートである。図７においては、符号１００に承認要求者の操作手順を示し、符号２００に承認要求者の操作手順に従った表示装置１０の動作であるフローチャートを示す。承認案件が発生した場合、まず、手順ａ１では、承認要求者は、データ入力面２３に配置されるデータ表示ボタン１ａをタッチペンを兼ねる認証手段３で押圧して、承認案件を示す画像データを選択し、データ表示面に画像データを表示させる指示を入力する。このように指示が入力されると、ステップｓ１では、表示装置１０が有する情報処理手段７は、表示手段１に認証処理画面を表示させる。次に、手順ａ２では、承認要求者は、データ入力面２３にサインを入力する。このようにサインが入力されると、ステップｓ２では、認証手段３は、承認要求者の指紋を予め保存されている指紋データと比較して認証する。また、入力解析手段４は、入力されたサインと予め保存されている個人データが含むサインとを比較照合して、その個人データを利用者特定手段５に送信する。
【００４４】
次に、ステップｓ３では、利用者特定手段５は、ステップｓ２において入力解析手段４から送信された個人データに基づいて、承認要求者を特定し、その特定結果を入力制御手段８に送信する。次に、ステップｓ４では、許可機能判別手段６は、入力制御手段８から特定結果を受信し、その特定結果に基づいて、個人データに付加される特定個人が操作可能な機能を示す情報から、画像データを表示させる機能が承認要求者に対して操作を許可された機能として判別する。そして、許可機能判別手段６は、その判別結果を入力制御手段８に送信する。ここで、許可機能判別手段６は、利用者特定手段５が特定した承認要求者に対して、画像データを表示させる機能、画像データを編集する機能、承認申請する機能を許可された機能として判別したとして、以下の処理を説明する。
【００４５】
ステップｓ５では、情報処理手段７は、入力制御手段８の指令に基づいて、手順ａ１において承認要求者が選択した承認案件を示す画像データを、表示手段１に表示させる。このようにして表示される画像データに基づいて、承認要求者は、承認案件の内容を承認決定者に説明する。
【００４６】
手順ａ３では、承認要求者は、画像データの内容を修正する必要があるか否かを判断し、承認決定者から指摘事項を受けて内容を修正する必要があると判断した場合には、手順ａ４に進む。また、内容を修正する必要がないと判断した場合には、手順ａ６に進む。手順ａ４では、承認要求者は、データ入力面２３に配置されるデータ編集ボタン１ｂをタッチペンを兼ねる認証手段３で押圧して、画像データ編集の指示を入力する。このように指示が入力されると、ステップｓ６では、編集手段１６は、入力制御手段８の指令に基づいて、表示手段１に画像データを編集可能状態で表示させる。次に、手順ａ５では、承認要求者は、画像データを修正して保存する。
【００４７】
ステップｓ７では、表示手段１は、修正された画像データを表示する。このとき、入力制御手段８は、データ管理手段３１に指令を与えて、修正された画像データを保存させる。データ管理手段３１は、入力制御手段８の指令に基づいて、修正された画像データをデータ格納手段３２に保存する。次に、手順ａ６では、承認要求者は、データ入力面２３に配置される承認申請ボタン１ｃをタッチペンを兼ねる認証手段３で押圧して、承認申請の指示を入力する。このように指示が入力されると、ステップｓ８では、情報処理手段７は、入力制御手段８の指令に基づいて、表示手段１に承認処理画面を表示させる。このとき、修正された画像データが保存されていない場合には、データ管理手段３１は、修正された画像データをデータ格納手段３２に自動的に保存する。このように、修正された画像データが保存されることによって、修正される前の画像データが、次工程で使用されるのを防止することができる。
【００４８】
図８は、表示装置１０において承認決定者が承認申請された画像データを承認するまでの表示方法を示すフローチャートである。図８においては、符号３００に承認決定者の操作手順を示し、符号４００に承認決定者の操作手順に従った表示装置１０の動作であるフローチャートを示す。前述のようにして承認申請された承認案件に対して、承認決定者が承認するとき、まず、手順ｂ１では、承認決定者は、データ入力面２３に配置される承認処理ボタン１ｄをタッチペンを兼ねる認証手段３で押圧して、承認を行う指示を入力する。このように指示が入力されると、ステップｓ１０では、情報処理手段７は、入力制御手段８の指令に基づいて、表示手段１に承認処理画面を表示させる。次に、手順ｂ２では、承認決定者は、データ入力面２３にサインを入力する。このようにサインが入力されると、ステップｓ１１では、認証手段３は、承認決定者の指紋を予め保存されている指紋データと比較して認証する。また、入力解析手段４は、入力されたサインと予め保存されている個人データが含むサインとを比較照合して、その個人データを利用者特定手段５に送信する。
【００４９】
次に、ステップｓ１２では、利用者特定手段５は、ステップｓ１１において入力解析手段４から送信された個人データに基づいて、承認決定者を特定し、その特定結果を入力制御手段８に送信する。次に、ステップｓ１３では、許可機能判別手段６は、入力制御手段８から特定結果を受信し、その特定結果に基づいて、個人データに付加される特定個人が操作可能な機能を示す情報から、画像データに対して承認する操作が承認決定者に対して操作を許可された機能として判別する。そして、許可機能判別手段６は、その判別結果を入力制御手段８に送信する。次に、ステップｓ１４では、承認手段１７は、入力制御手段８の指令に基づいて、画像データの内容に対して承認するか否かを決定する処理を行う。このようにして、承認決定者は、承認申請された画像データに対して承認することができる。次に、ステップｓ１５では、入力制御手段８は、データ管理手段３１に指令を与えて、承認された画像データを外部に送信させる。このとき、入力制御手段８から指令を受けたデータ管理手段３１は、データ送信手段３３に指令を与えて、予め設定された承認後の処理に基づいて、承認された画像データを外部に送信させる。
【００５０】
以上のように、本発明の表示装置１０を用いることによって、承認案件が発生したとき、承認要求者は、表示した画像データに基づいて承認案件の内容を説明し、内容を修正する必要がある指摘事項を承認決定者から受けた場合、その場で承認案件の内容を修正することができる。その後、認証されて特定された承認決定者は、承認案件の修正された内容を見て、承認するか否かをその場で決定することができ、承認案件に対する承認決定までに時間的なロスが生じるのを防止することができる。また、承認要求者が承認案件を説明すると同時に修正すべき内容を修正して、その場で承認決定者が承認するか否かを決定することができるので、人為的なミスなどによって、承認案件の修正した内容を承認決定者が確認しないまま放置されるのを防止することができる。
【図面の簡単な説明】
【００５１】
【図１】本発明における表示装置１０の構成を示すブロック図である。
【図２】表示装置１０の構成を示す斜視図である。
【図３】入力手段２の構成を示す図である。
【図４】入力手段２が有するデータ入力面２３の一例を示す図である。
【図５】認証手段３の構成を示す斜視図である。
【図６】表示装置１０を備えるシステム全体の構成を示すブロック図である。
【図７】表示装置１０において承認要求者が画像データを修正して承認申請するまでの表示方法を示すフローチャートである。
【図８】表示装置１０において承認決定者が承認申請された画像データを承認するまでの表示方法を示すフローチャートである。
【符号の説明】
【００５２】
１  表示手段
２  入力手段
３  認証手段
４  入力解析手段
５  利用者特定手段
６  許可機能判別手段
７  情報処理手段
８  入力制御手段
１０  表示装置
１６  編集手段
１７  承認手段
３０  データ管理サーバ
４０  認証管理サーバ
【図１】
2009093499.tif 000003
【図２】
2009093499.tif 000004
【図３】
2009093499.tif 000005
【図４】
2009093499.tif 000006
【図５】
2009093499.tif 000007
【図６】
2009093499.tif 000008
【図７】
2009093499.tif 000009
【図８】
2009093499.tif 000010